(57)【要約】  【課題】  フォークリフトによってパレットごと荷物を運搬する場合に使用できる搬送用パレットであって、しかも、パレット上への荷物の積み込みや積み降ろしの作業をフォークリフトのフォークを用いて安全に作業性よく行うことができる搬送用パレットを提供する。また、そのような機能を有する紙製の搬送用パレットを提供する。  【解決手段】  下板１、中板２、上板３、及び板連結用の柱状部４、５から構成される搬送用パレットであって、下板１と中板２との間に、リフトフォーク挿入用の下段空間部６と、板連結用の下段柱状部４とが設けられ、中板２と上板３との間に、リフトフォーク挿入用の上段空間部７と、板連結用の上段柱状部５とが設けられ、かつ、上段空間部５は上方に解放された空間部である。【選択図】  図１
2006306428.tif 000002
【特許請求の範囲】
【請求項１】
下板、中板、上板、及び板連結用の柱状部から構成される搬送用パレットであって、下板と中板との間に、リフトフォーク挿入用の下段空間部と、板連結用の下段柱状部とが設けられ、中板と上板との間に、リフトフォーク挿入用の上段空間部と、板連結用の上段柱状部とが設けられ、かつ、上段空間部は上方に解放された空間部であることを特徴とする搬送用パレット。
【請求項２】
上板は３以上に分割された板状材からなり、かつ、上段空間部の上方において上板が分割されていることを特徴とする請求項１に記載の搬送用パレット。
【請求項３】
上板の上面に、滑り止め材が添着されていることを特徴とする請求項１又は２に記載の搬送用パレット。
【請求項４】
上板を設ける代わりに、上段柱状部の上面を均一な高さの平面状にすることを特徴とする請求項１に記載の搬送用パレット。
【請求項５】
下板を設ける代わりに、下段柱状部の下面を均一な高さの平面状にすることを特徴とする請求項１〜４のいずれかに記載の搬送用パレット。
【請求項６】
下板、上板、及び板連結用の柱状部から構成される搬送用パレットであって、上板が３枚の長方形板からなり、該３枚の長方形板は間隔をおいて略平行に位置し、各長方形板の下方にはそれぞれ３本の柱状部が間隔をおいて配設され、柱状部の下端が下板の上面に連設され、柱状部どうしの間にはリフトフォーク挿入用空間部が縦方向及び横方向に交差して伸びることを特徴とする搬送用パレット。
【請求項７】
下板、中板及び上板が紙製板材からなり、かつ、板連結用の下段柱状部及び上段柱状部がそれぞれ複数の硬質紙管からなることを特徴とする請求項１〜５のいずれかに記載の搬送用パレット。
【請求項８】
板連結用の下段柱状部及び上段柱状部が、それぞれ、複数の硬質紙管が集合した紙管島部であることを特徴とする請求項７に記載の搬送用パレット。
【請求項９】
空間部と紙管島部との合計面積に対する紙管島部面積の割合が、下段及び上段のそれぞれにおいて、３０〜７０％であることを特徴とする請求項８に記載の搬送用パレット。
【請求項１０】
硬質紙管の外直径が４〜１２ｃｍ、高さが５〜１５ｃｍであることを特徴とする請求項７〜９のいずれかに記載の搬送用パレット。
【請求項１１】
硬質紙管が硬質紙製の中空円筒状紙管であり、かつ、その管長手方向の圧縮強さが５００ｋｇ以上であることを特徴とする請求項７〜１０のいずれかに記載の搬送用パレット。
【発明の詳細な説明】
【技術分野】
【０００１】
本発明は、フォークリフトでの荷物搬送時に荷物の下に配置する搬送用パレットの改良に関するものである。
【背景技術】
【０００２】
製品を梱包した梱包体のような荷物をフォークリフトで運搬する際には、リフト用フォークが挿入できる空間が設けられたパレットが用いられ、その多くは、木材や樹脂で製造されている。しかし、最近は、パレットの軽量化等の観点から段ボール板等の紙素材で製造されたパレットも販売され始めてきている。
【０００３】
それら搬送用パレットとしては、下板、上板、及び、その板間にフォーク挿入用の空間部を空けて連結する柱材からなる構造のパレットや、上板とその下にフォーク挿入用の空間部を空けて取り付けた脚部からなる構造のパレットが知られ、使用されてきている。
【０００４】
例えば、上面及び下面に板材を配した構造のパレット（前者のパレット）は、段ボール板を用いて作成した紙製パレットでも知られており、一般に、段ボール製の天板及び底板と、それら両板の間を繋ぐ紙筒製の柱状連結部とで構成され、柱状連結部（柱部と略す）が天板と底板との間に点在する構造となっている。
【０００５】
この構造の紙製パレットは、天板と柱部との接合部、底板と柱部との接合部、紙筒製の柱部、又は、段ボール製の天板や底板における強度や耐久性が問題となり易く、それら問題を解消するため、種々の改良手段が提案されている。
【０００６】
例えば、天板と柱部との接合部や底板と柱部との接合部における接合強度を高めるために、柱部端と接合する位置の天板や底板の部分に、切断及び押し潰しによって孔を開け、その孔に柱部端を嵌入させた状態で接着固定し、紙製パレットを製造する方法が提案されている（特許文献１参照）。また、ガイド穴を有する誘導板を、柱部端と天板や底板との接合部分に介在させ、そのガイド穴に柱部端を嵌入させて接着固定し、誘導板と天板又は底板とを接着固定する構造の紙製パレットが提案されている（特許文献２参照）。
【０００７】
紙製パレットの天板を補強するために、紙筒を長手方向に半裁した形状（半円筒状）の補強材を、天板と柱部との間に桁状に固着させることが提案されている（特許文献３参照）。また、天板と底板とを繋ぐ柱部を、片面段ボールを複数層螺旋状に重ねた構造の紙筒でもって構成することにより、パレットの天板上からの荷重に対する圧縮強度を向上させ、側方からの衝撃に対する柱部の損傷を防止することが提案されている（特許文献４参照）。
【０００８】
また、上板と脚部とからなるパレット構造は、下板がないことにより軽量化できるので、金属製パレット等において採用されている。この構造の場合、さらなる軽量化のために、上板を網目状や井桁状にする構造も採用されている。
【０００９】
このように、従来の搬送用パレットは、いずれも、荷台面全体の広さをもつ上板の下にフォーク挿入用の空間部を設けた構造をとるものであって、パレット上に積載した荷物を移動させる際には、リフト用フォークをパレット空間部に挿入した状態で、パレットとともに荷物を下から持ち上げて移動させる。従って、搬送用パレットを用いると、フォークリフトでの荷物の持ち上げ移動作業を効率化できるので、搬送用パレットはフォークリフト荷役作業において広く使用されている。
【００１０】
ところで、搬送用パレットの上に荷物を積み込む場合、製造工程においては、製造された製品が直接パレットの上に自動的に載るような製造ラインとなっているときもあるが、そうでないときには、人手等によって荷物を持ち上げてパレット上に置くことが行われている。また、搬送用パレットから荷物を積み降ろす場合も、積み込む場合と同様に、人手等によって荷物を持ち上げることが多く行われている。
【００１１】
人手による積み込みや積み降ろしは効率的でないし、また、人手で持ち上げられない重量の荷物には対応できない。
【００１２】
そこで、フォークリフトを用いることも考えられる。例えば、荷物を両端から挟むサイドクランプ型のアームを用いて荷物を持ち上げる方法や、また、荷物の下にアームを強制的に差し込んで持ち上げる方法が考えられる。
しかし、サイドクランプ型のアームにより横方向から把持して荷物を持ち上げる方法では、横方向から把持しても変形や破損しない荷物に限られ、実用的ではない。
【００１３】
また、荷物の下にアームを強制的に差し込んで持ち上げる方法では、フォークを差し込む時や抜き取る時に、積み上げられた荷物が不安定になって荷崩れし易く、さらに、荷物下面とパレット上面とがフォークで傷つくという問題がある。
このような状況から、パレット上に荷物を積み込んだり積み降ろしたりする作業にリフトフォークを用いることは、実際上困難と考えられていた。
【００１４】
【特許文献１】特許第２５９３０３０号公報
【特許文献２】特許第３１４５３３５号公報
【特許文献３】特許第２６７６６７５号公報
【特許文献４】特許第３３１６０８７号公報
【発明の開示】
【発明が解決しようとする課題】
【００１５】
そこで、本発明の目的は、フォークリフトによってパレットごと荷物を運搬する場合に使用できる搬送用パレットであって、しかも、パレット上への荷物の積み込みや積み降ろしの作業をフォークリフトのフォーク（通常の上下動する２本のアーム）を用いて安全に作業性よく行うことができる搬送用パレットを提供することにある。
【００１６】
また、本発明は、そのような機能を有する搬送用パレットを段ボール板や紙管等の紙で製造することができるパレット構造を提供することを別の目的とする。特に、合成繊維糸条の巻芯のような廃紙管を有効利用して製造できる紙製パレットで、上記機能を有する搬送用パレットの提供を、さらに別の目的とする。
【課題を解決するための手段】
【００１７】
これら本発明の目的を達成するために、本発明の搬送用パレットは、下板、中板、上板、及び板連結用の柱状部から構成される搬送用パレットであって、下板と中板との間に、リフトフォーク挿入用の下段空間部と、板連結用の下段柱状部とが設けられ、中板と上板との間に、リフトフォーク挿入用の上段空間部と、板連結用の上段柱状部とが設けられ、かつ、上段空間部は上方に解放された空間部であることを特徴とするものである。
【００１８】
また、上記目的は、下板、上板、及び板連結用の柱状部から構成される搬送用パレットであって、上板が３枚の長方形板からなり、該３枚の長方形板は間隔をおいて略平行に位置し、各長方形板の下方にはそれぞれ３本の柱状部が間隔をおいて配設され、柱状部の下端は下板の上面に連設され、柱状部どうしの間にはリフトフォーク挿入用空間部が縦方向及び横方向に交差して伸びる構造の搬送用パレットによっても達成することができる。
【００１９】
さらにまた、前者の搬送用パレットにおいて、下板、中板及び上板を、段ボール板から構成し、さらに、下段柱状部及び上段柱状部を、それぞれ、複数の硬質紙管が集合した管状体島部とすることにより、紙製パレットでもって、上記目的を達成することができる。
【発明の効果】
【００２０】
本発明の搬送用パレットは、フォークリフトによってパレットごと荷物を運搬する場合に使用できるものである。しかも、パレット上への荷物の積み込みや積み降ろしの作業時に、フォークリフトのフォークによって荷物を下から持ち上げて、積み込みや積み降ろし作業をフォークによって行うことが可能になる。
【００２１】
また、本発明によると、この搬送用パレットを、硬質紙管や段ボール板のような紙製素材を用いて製造することもできる。さらに、使用済み後の繊維用廃紙管を有効利用することによって上記搬送用パレットを製造することもでき、使用後の廃紙管のリサイクル用途としても有効である。
【発明を実施するための最良の形態】
【００２２】
本発明の搬送用パレットを、その一実施態様を示す図１に沿って、また、別の実施態様を示す図２及び図３を参照しつつ説明する。なお、図１〜図３は、いずれも斜め上方向からみた斜視図である。
【００２３】
図１の実施態様の場合、搬送用パレットは、下板１、中板２、上板３と、それら板の間に配列されて固定された下段柱状部４、上段柱状部５とから構成される。下段柱状部４は複数に分割されていて、その分割部分は、リフトフォーク挿入用の下段空間部６となっている。また、上段柱状部５も複数に分割されていて、その分割部分も、リフトフォーク挿入用の上段空間部７となっている。さらに、この上段空間部７は、その上方に上板３が存在せず、上方に解放された状態となっている。
【００２４】
ここで、下板１、中板２、上板３には、段ボール板、木材板、プラスチック板、金属板等の板状材が用いられる。なかでも中板２は、リフトフォークを差し込んでパレット及び荷物を持ち上げる際に破断しないことが要求されるので、その要求を満足できる強度をもつ板状材であることが必要である。しかし、下板１や上板３は、下段柱状部や上段柱状部の高さを均一化し、パレット全体構造の頑丈さを高めるために設けられるものであるので、中板ほどの強度は必要なく、フィルムや厚紙等を用いることもできる。
【００２５】
また、上段柱状部５の上面を均一な高さの平面状にすることができれば、図２（ａ）の場合のように、上板３を省略することもできる。同様に、下段柱状部４の下面を均一な高さの平面状にすることができれば、図２（ｂ）の場合のように、下板１を省略することもできる。
【００２６】
下板と中板とを連結させるように配置される下段柱状部４や、中板と上板とを連結させるように配置される上段柱状部５は、パレットの上に載置される荷物の重量に耐えられる圧縮強度を持つ部材であればよい。例えば、硬質紙管のような硬質管状体の複数を集合させて柱状部としたもの（図１）でもよいし、紙や樹脂等で一体的に形成された柱状部（図２）であってもよい。
【００２７】
下段柱状部４の上端は中板２の下面に固着され、上段柱状部５の下端は中板２の上面に固着されている。また、下板１を設ける場合には、下段柱状部４の下端は下板１の上面に固着されている。上板３を設ける場合には、上段柱状部５の上端は上板３の下面に固着されている。この固着の手段は、素材に応じた接着剤による接着でもよいし、部材どうしの嵌合でもよい。
【００２８】
略水平で前方に突き出した平行な２本のアームからなるリフトフォークが挿入可能なように、下段柱状部４の間には下段空間部６が設けられ、また、上段柱状部５の間には上段空間部７が設けられている。下段柱状部４や上段柱状部５は、左右端の近傍の他に中央部にも設けられていることが、パレット全体構造を頑丈にするために好ましい。例えば図１や図２に示すように、３分割された下段柱状部４の間に２つの下段空間部６が設けられ、また、３分割された上段柱状部５の間に２つの上段空間部７が設けられることが好ましい。
【００２９】
本発明のパレットにおいて、上段空間部７は上方が解放された空間であることが必要である。上段空間部７の上方が解放されていることにより、パレット上への荷物の積み込み作業も積み降ろし作業もリフトフォークを用いて容易に行うという本発明の目的を達成することができる。
【００３０】
本発明のパレットの上に荷物を積み込む時には、まず、荷物が直接載せられたフォークを上板３の上方に移動させる。この際、そのフォークのアーム長さ方向と上段空間部７の長さ方向とが同じ向きとなるようにする。次いで、フォークのアームを下げていき、荷物の下面が上板３に接するようにし、上段空間部７の中にアームが嵌り込むようにすると、荷物はパレットの上に置かれ、アームは上段空間部７の中に差し込まれた状態となる。次いで、このアームを引き抜く。このようにして、荷物をパレット上に積み込むことができる。
【００３１】
また、パレット上から荷物を積み降ろす時には、上段空間部７の横開口からフォークのアームを差し込んだ後、アームを上方に移動させる。すると、フォークのアーム上に直接荷物が載せられるので、次いで、フォークを引き抜くことにより荷物をパレット上から積み降ろすことできる。
【００３２】
なお、パレット及びその上に積載された荷物をフォークリフトによって運搬する場合には、下段空間部６にフォークのアームを差し込み、次いで、アームによって中板２を下から持ち上げることにより、パレットごと荷物を持ち上げて運搬することができる。
【００３３】
また、パレットごと荷物を持ち上げて搬送する場合のフォークの挿入方向と、荷物の積み込み時や積み降ろし時におけるフォークの挿入方向が交差する方向となってもよい場合には、図３に示すような簡単なパレット構造をとることもできる。
【００３４】
即ち、下板１、上板３、及び板連結用の柱状部１５から構成される搬送用パレットであって、上板３が３枚の長方形板からなり、該３枚の長方形板は間隔をおいて略平行に位置し、各長方形板の下方にはそれぞれ３本の柱状部１５が間隔をおいて配設され、柱状部の下端は下板の上面に連設され、柱状部どうしの間にはリフトフォーク挿入用空間部１７が縦方向及び横方向に交差して伸びる構造の搬送用パレットである。
【００３５】
図３（ａ）のパレットは下板１が１枚の板状体からなる場合であり、９本の柱状部１５はいずれも下板１の上面に連設されている。
図３（ｂ）のパレットは、下板１も３枚の長方形板からなり、上板３と下板１とが交差する方向に配列し、上板と下板との交差部分が柱状部１５で連結された構造のものである。
【００３６】
本発明の紙製の搬送用パレットを、段ボール板と硬質紙管とから作製した場合の一実施態様を示す図１、図４、図５に沿って以下説明する。
【００３７】
図１は、その搬送用パレットの全体を斜め上方向からみた斜視図である。図４は、そのパレットにおいて、下段柱状部４と中板２との間を剥がし、上段柱状部５と上板２との間を剥がした状態を示す斜め上方向からの斜視図である。また、図５は、その中板及びそれより上の部分を剥がした状態を示す平面図である。
【００３８】
図１のパレットは、リフトフォーク挿入用の下段空間部６も、リフトフォーク挿入用の上段空間部７も、前後の方向に伸びており、この下段空間部６の横開口から、また、上段空間部７の横開口から、リフト用フォークのアームが前後の方向Ｆ、Ｆ′、Ｆ″に挿入可能である。
【００３９】
下段空間部６の両側の下段柱状部４は、複数の硬質紙管８が集合した紙管島部４Ａ、４Ｂ、４Ｃから構成される。上段空間部の両側の上段柱状部５も同様な紙管島部５Ａ、５Ｂ、５Ｃから構成される。
【００４０】
このパレットでは、下板１と中板２との間、また、中板２と上板３との間を繋ぐとともに、それら板間を一定距離、離間させるための柱状部（下段柱状部４、上段柱状部５）として、複数の硬質紙管２を用いている。この硬質紙管は、紙材が何重にも螺旋状に堅く積層された極めて硬い紙管であり、その硬さは、合成繊維巻糸体の巻き芯として用いられている硬質紙管と同等程度（例えば、硬度Ｃ９０〜９６度程度）であることが好ましい。
【００４１】
この硬質紙管の外直径は４〜１２ｃｍ程度、高さは５〜１５ｃｍ程度であることが好ましい。この程度の高さであれば、板間に紙管を並べて介在させることによってリフトフォークを挿入するために必要な空間部の高さを形成することができるからである。また、上記程度の外直径であれば、複数個の硬質紙管を集合配置した紙管島部を形成させても、フォーク挿入用の空間部を確保することができるし、また、パレット製造時の紙管配列作業が煩雑にならない、からである。
【００４２】
また、硬質紙管の管厚みは、その紙管高さ方向の圧縮強度が所望水準であれば特に限定されないが、例えば、３〜１０ｍｍ程度の厚みが好ましい。紙管高さ方向の圧縮強度は、パレット上に積載する荷物の種類等の用途に応じて決めればよいが、一般的には、５００〜１８００ｋｇ程度の圧縮強度が好ましい。
【００４３】
この硬質紙管としては、例えば、ポリウレタン繊維、ポリエステル繊維、ポリアミド繊維のような合成繊維を巻く際の巻き芯として使われる繊維用硬質紙管が好ましい。例えば、マンドレル上に帯状原紙を螺旋状に何回も硬く巻き重ねて長尺の筒状物を作成した後に所定長さに切断する方法によって製造されるスパイラル硬質紙管が挙げられる。
【００４４】
上板や中板や下板には段ボール板等の紙製板材が使用される。特に強度が要求される中板には段ボール板を用いることが好ましい。
【００４５】
段ボール板としては、従来の紙製パレットで用いられていたと同様の段ボール板を用いることができる。例えば、２枚のライナの間に波状の中しん紙（フルート）が挟み込まれた構造の一段段ボール板、ライナとフルートからなる層の複数が積層された構造の複数層構造段ボール板、及び、ハニカム構造のフルートがライナで挟み込まれた構造のハニカム段ボール板が挙げられる。なかでも、複数層構造段ボール板やハニカム段ボール板は、曲げ強度、引っ張り強度、耐圧強度等の強度特性に優れるので、特に強度が必要な中板２用の段ボール板として好ましい。中板ほどの強度が要求されない上板３や下板１には、一段段ボール板や他の紙製板材を用いることもできる。また、上板３は、上段空間部に相当する部分で分断された３枚の段ボール板で構成されている。
【００４６】
上板や中板や下板として用いる場合の段ボール板は、１枚で用いてもよいし、複数枚を重ねて用いてもよい。段ボール板を複数枚、重ねて用いる場合には、段ボール板の曲げ強度の強い方向が互いに交差するように重ねることが好ましい。また、中板として一段段ボール板のように曲げ強度が縦方向、横方向で相違する段ボール板を用いる場合には、その曲げ強度が強い方向とフォーク挿入方向とが交差するように段ボール板を配置することが好ましい。
【００４７】
この段ボール板は、撥水加工、補強加工等の加工処理が施されたものであってもよいし、また、表面にフィルム等の異種素材がラミネートされたものであってもよい。さらにまた、上板や中板や下板として用いてパレットを組立てる際に、段ボール板の外表面にフィルム等の硬質薄膜材を重ねてもよい。
【００４８】
それら各板の厚さは、所望の強度水準が得られれば特に限定されないが、例えば、中板は３〜４５ｍｍ程度の厚さが好ましい。また、それら板の大きさ（縦方向や横方向の長さ）は、パレットの面積や用途等に応じて決めればよいが、例えば、下板や中板の縦方向の長さや横方向の長さを各々、６０〜１４０ｃｍ程度とすればよい。
【００４９】
それら板と硬質紙管との接着には、紙・紙接着用の接着剤を用いればよい。例えば、酢酸ビニル系樹脂接着剤が用いられる。
【００５０】
この紙製パレットでは、下段柱状部４及び上段柱状部５は複数の硬質紙管８からなる紙管島部であり、その間には、リフトフォークが挿入可能な空間部が設けられている。
【００５１】
例えば、図１、図４のパレットの場合、下段には、２列に密着させて整列された紙管島部４Ａ、４Ｃと、３列に密着させて整列された紙管島部４Ｂとが存在し、それら紙管島部の間には、細長い空間部６、６′が存在し、その空間部６、６′の開口端からリフト用フォークが挿入可能である。上段にも同様な紙管島部５Ａ、５Ｃ、５Ｂと空間部７、７′とが存在する。
【００５２】
このように、複数の紙管が整列された紙管島部と、この紙管島部の間の空間部とが存在するが、その紙管島部と空間部との合計面積に対する紙管島部面積は３０〜７０％であることが好ましい。
【００５３】
ここで、紙管島部は、リフトフォークが挿入可能な長尺状の空間部を残して、島状に紙管を集合させた部分である。その紙管島部の面積は、各紙管島部の外側の紙管の外接形状で囲まれる部分の面積の合計である。また、紙管島部と空間部との合計面積は、紙管郡部のうちの最外側の紙管の外接形状で囲まれる部分の面積である。例えば、図５（図１の下段における紙管配列を平面的に示す図）における破線で囲まれる部分の面積の合計が紙管島部の面積であり、また、一点鎖線と最外側の破線で囲まれる部分の面積が、紙管島部と空間部との合計面積である。
【００５４】
このような構造の紙製パレットは、下板と中板との間、また、中板と上板との間を繋ぐための下段柱状部や上段柱状部の構造が、多数の硬質紙管を集合させて島状に配置して接着させた紙管島部であるので、簡単な製造工程でもって容易に製造できる利点がある。
【００５５】
例えば、図１、図４に示すパレットの場合、９０ｃｍ×１２０ｃｍで厚み８ｍｍのダブルフルート構造段ボール板の１枚を下板用の板とし、その上に、管厚み５．０ｍｍ、外経８３ｍｍ、高さ１１５ｍｍの硬質紙管（圧縮強さ１０５０ｋｇ、硬度Ｃ９３度）を３つの島状（２個×１０個配列の島、３個×１０個配列の島、２個×１０個配列の島）となるように所定位置に並べ、その紙管下面と下板用の板とを接着剤によって固着させ、次いで、紙管上面に接着剤を付着させて中板用の段ボール板（９０ｃｍ×１２０ｃｍで厚み３０ｍｍのハニカム構造段ボール板の１枚）を載せて接着固定させる。次いで、中板の上に、硬質紙管（上記と同じ）を上記と同様の３つの島状となるように所定位置に並べ、接着固定した後に、各紙管島部の上に、上板用の板（９０ｃｍ×１７ｃｍで厚み８ｍｍのダブルフルート構造段ボール板２枚、及び９０ｃｍ×２５ｃｍで厚み８ｍｍのダブルフルート構造段ボール板１枚）を載せて接着固定させる。その上板の上に、必要に応じて数カ所滑り止め部材（例えば、紙やすり）を取り付ける。このパレットの場合、空間部と紙管島部との合計に対する紙管島部面積の割合は約５０％である。
【００５６】
このようにして製造することができる紙製パレットは、島状に集合して存在する多数の硬質紙管によって、全体的に丈夫な構造となっているので、パレットの上に荷物を積み重ねて荷重をかけても、その状態で長期間保管しても、十分な耐久性を発揮する。また、パレットの上に荷物を積載した状態で、空間部にリフト用フォークを挿入して持ち上げても、十分な耐久性を発揮する。しかも、パレット構造から、前記した本発明の目的を達成することもできる。
【００５７】
また、この紙製パレットでは、硬質紙管として、繊維巻取り芯として使用した後の硬質紙管を、そのまま、或いは管長が所定寸法となるように切断して、利用することができるので、使用済み繊維用硬質紙管の再利用手法として効果的である。
【産業上の利用可能性】
【００５８】
本発明の搬送用パレットは、リフト用フォークを挿入して運搬する際に用いられる搬送用パレットであって、荷物を搬送する際のパレット台として好適に用いることができる。
【図面の簡単な説明】
【００５９】
【図１】本発明の搬送用パレットの一実施態様を示す斜視図である。
【図２】本発明の搬送用パレットの別の実施態様を示す斜視図である。
【図３】本発明の搬送用パレットのさらに別の実施態様を示す斜視図である。
【図４】図１に示す搬送用パレットを部分的に分解して示す斜視図である。
【図５】図１に示す搬送用パレットの下段における紙管配列を示す平面図である。
【符号の説明】
【００６０】
１  下板、    ２  中板、    ３  上板、    ４  下段柱状部、    ５  上段柱状部、  ６  下段空間部、    ７  上段空間部、    ８  硬質紙管、    ９  滑り止め部材、
４Ａ、４Ｂ、４Ｃ  紙管島部、    ６、６′、７、７′  空間部、
Ｆ、Ｆ′、Ｆ″  フォークの挿入方向
１５  図３における柱状部、    １７、１７′  図３における空間部
【図１】
2006306428.tif 000003
【図２】
2006306428.tif 000004
【図３】
2006306428.tif 000005
【図４】
2006306428.tif 000006
【図５】
2006306428.tif 000007